(57)【要約】【課題】建物等設備の監視システムにおいて、エネルギー管理グラフの登録作業の効率改善を行う。【解決手段】設備監視装置と設備機器とを備えた設備監視システムにおけるエネルギー管理グラフのエンジニアリング方法において、前記設備監視装置のグラフ定義登録手段が、第一のグラフ属性ファイルをロードするステップと、前記第一のグラフ属性ファイルから第二のグラフ属性ファイルにコピーするステップと、を備えており、前記第一のグラフ属性ファイルのすべての属性を前記第二のグラフ属性に全コピーするか、あるいは、前記第一のグラフ属性ファイルのうち少なくともポイント定義を除いた他の属性をコピーするか、或いは表示色のみを選択できることエネルギー管理グラフのエンジニアリング方法である。【選択図】  図４
2017146756.tif 000002
【特許請求の範囲】
【請求項１】
設備監視装置と設備機器とを備えた設備監視システムにおけるエネルギー管理グラフのエンジニアリング方法において、
前記設備監視装置のグラフ定義登録手段が、
第一のグラフ属性ファイルをロードするステップと、
前記第一のグラフ属性ファイルの内容を第二のグラフ属性ファイルにコピーするステップと、を備えており、
前記第一のグラフ属性ファイルのすべての属性を前記第二のグラフ属性ファイルにコピーするか、あるいは、前記第一のグラフ属性ファイルのうち少なくともポイント定義を除いた他の属性を前記第二のグラフ属性ファイルにコピーするかを選択できるエネルギー管理グラフのエンジニアリング方法。
【請求項２】
請求項１に記載のエネルギー管理グラフのエンジニアリング方法において、
前記設備監視装置のグラフ定義登録手段は、さらに、
前記第一のグラフ属性ファイルのうち表示色にかかる属性のみをコピーするかを選択できることを特徴とするエネルギー管理グラフのエンジニアリング方法。
【請求項３】
請求項１に記載のエネルギー管理グラフのエンジニアリング方法において、
前記の第一又は第二のグラフ属性ファイルにおけるポイント定義に、別途用意したポイント定義テキストファイルからその定義情報をインポートすることを特徴とするエネルギー管理グラフのエンジニアリング方法。
【請求項４】
請求項１から請求項３のうちいずれかに記載のエネルギー管理グラフのエンジニアリング方法において、
前記第一のグラフ属性ファイルまたは前記第二のグラフ属性ファイルは、
所定の履歴の情報から、又はお気に入りグループの情報から指定することができるエネルギー管理グラフのエンジニアリング方法。
【発明の詳細な説明】
【技術分野】
【０００１】
この発明は、ビルやプラントなどの施設に設置された複数の設備機器を管理する設備監視装置に関する。
【背景技術】
【０００２】
設備機器には大量の温度、湿度などの環境データに加えて、使用電力、ガスなどエネルギーデータにかかるセンサが接続されている。それらデータを上位の設備監視装置でグラフ化して表示することで、エネルギー使用量および将来の需要予測まで行うエネルギー管理が多く求められている。
【０００３】
このようなグラフには、傾向を示すトレンドグラフが代表的であるが、その他種々のグラフが存在する。例えば、積層トレンドグラフ、バートレンドグラフ、円チャート、散布図、ヒストグラムなどがある。
【０００４】
一般的なトレンドグラフを表示するための画像データを生成する画像データ生成装置、及び画像データ生成方法についての先行技術が特許文献1にある。このようにプラント等のプロセスデータを遠方の制御装置が取得し、プロセスデータを表示し、プロセスデータの時間的変化からプラント状態を判断することが知られている。そこでは、所定の範囲の日時等を指定した上でトレンドグラフ表示を行うことにより、データ状況を可視化して、状況の特定や問題の原因の分析を容易に行うことができる。
【先行技術文献】
【特許文献】
【０００５】
【特許文献１】特開２０１５−６９３１８号公報
【発明の概要】
【発明が解決しようとする課題】
【０００６】
先行技術にあるようなトレンドグラフでは、表示属性および計測データにかかるポイントのパラメータ類（これら総称して「属性」と呼ぶ）の定義は、昨今の設備全体の大型化に伴うポイント数の増大に従って大規模化している。それらを統合管理するためのエネルギー管理システムを運用するに必要なエンジニアリングには、相当な労力、エンジニアリング工数が必要とされるようになっている。端的に言えば、繰り返し作業における人による操作ミスを削減する課題がある。
【０００７】
そこで、本願発明は、多くのグラフ登録において繰り返し作業を必要最小限にとどめるために、あらかじめ設定したグラフ属性を他の関連するグラフ属性へコピー利用を推し進めることで全体のエンジニアリング作業を効率よく行う方法を提示するものである。
【課題を解決するための手段】
【０００８】
本願発明は、設備監視装置と設備機器とを備えた設備監視システムにおけるエネルギー管理グラフのエンジニアリング方法において、
前記設備監視装置のグラフ定義登録手段が、第一のグラフ属性ファイルをロードするステップと、前記第一のグラフ属性ファイルの内容を第二のグラフ属性ファイルにコピーするステップと、を備えており、
前記第一のグラフ属性ファイルのすべての属性を前記第二のグラフ属性ファイルにコピーするか、あるいは、前記第一のグラフ属性ファイルのうち少なくともポイント定義を除いた他の属性を前記第二のグラフ属性ファイルにコピーするかを選択できるエネルギー管理グラフのエンジニアリング方法である。
【０００９】
さらに、本願発明は、さらに、
前記第一のグラフ属性ファイルのうち表示色にかかる属性のみをコピーするかを選択できることを特徴とするエネルギー管理グラフのエンジニアリング方法である。
【００１０】
また、本願発明は、前記のグラフ属性ファイルにおけるポイント定義に、別途用意したポイント定義テキストファイルからその定義情報をインポートすることを特徴とするエネルギー管理グラフのエンジニアリング方法でもよい。
【００１１】
また、前記第一のグラフ属性ファイルまたは前記第二のグラフ属性ファイルは、
所定の履歴の情報から、又はお気に入りグループの情報から指定することができるエネルギー管理グラフのエンジニアリング方法でもよい。
【発明の効果】
【００１２】
本願発明は、代表的な一つのグラフ特性を作成するだけで、画一的に他のグラフ属性に反映することができるので、エンジニアリング作業の効率を格段に高める効果がある。
なお、グラフ属性にポイント差異は必ずあるので、それについて補充手続を備えることもできる。
【図面の簡単な説明】
【００１３】
【図１】本願発明の実施の形態にかかる設備監視システムの構成を示す。
【図２】本願発明の設備監視装置のグラフ属性にかかるデータベース配置を示す。
【図３】本願発明の実施の形態にかかる設備監視装置におけるグラフ定義登録手段の処理フローを示す。
【図４】本願発明の実施例である設備監視装置におけるグラフ定義登録手段の表示操作画面レイアウトを示す。
【図５】本願発明の実施例であるトレンドグラフの一表示態様を示す。
【図６】本願発明の実施例であるトレンドグラフの別の表示態様を示す。
【発明を実施するための形態】
【００１４】
（１）全体構成
まず、本願発明を実施の形態に関して説明する。図１はこの発明の一実施の形態を示す設備監視システムの全体構成を示す。
設備監視装置１は、ビルなどの施設に設置された複数の設備機器２（例えば空調機や電力制御器など）を管理するものである。設備監視装置１は、各設備機器２と通信ネットワーク３を介して接続されている。この設備監視装置１は、図１に示すように、エネルギー管理グラフ手段１１、ネットワーク通信手段１２、運転データ記録手段１３、データ収集手段１４、表示・操作手段１５、グラフ定義登録手段１６、およびデータベースＤＢなどから構成されている。
【００１５】
一方の各設備機器２は、日単位で設備機器２の起動停止（ＯＮ／ＯＦＦ）を設定するタイムスケジュール（ＳＣＨ）や、設備立ち上げ時間を考慮して最適起動時刻を設定する最適起動制御（ＯＳＳ）、ピーク時間帯の設備機器２を節電運転させる節電運転制御（ＤＵＴＹ）など様々な制御プログラムにより設定されて、この運転計画に沿って運転を行っている。
【００１６】
設備監視装置1内のエネルギー管理グラフ手段１１はその運転稼働状況をグラフィックに示すものである。ネットワーク通信手段１２は、複数の設備機器２と有線または無線の通信回線で接続し、種々のデータ読込みおよび制御パラメータの書き込みなどを掌る。なお、本設備監視装置１は単体で実装してもよいが、これ自体もネットワークで分散された複数クライアントサーバの分散形態、またはイーサネット（登録商標）などに接続されたクラウドコンピューティングで実装されてもよいものである。
【００１７】
運転データ記録手段１３は、データ収集手段１４により収集された運転状況データを機器の属性データに対応付けて、運転実績として記録するものである。この属性データには、設備機器名や設備機器２が設置された施設名などのポイント情報を示す情報が含まれて規定されている。データ収集手段１４は、各設備機器２からネットワーク通信手段１２を介して設備機器２の運転状況に関するデータ（運転状況データ）を収集するものである。この運転状況データには、設備機器２を識別するポイントＩＤ、当該設備機器２の起動停止（ＯＮ／ＯＦＦ）状態を示すデジタルデータ（起動：１、停止：０）、および各種アナログ(連続量)データが含まれている。
【００１８】
表示・操作手段１５は、運転計画と運転実績との差異のパターンをそれぞれ区別する表現を行うもので、主にＰＣ(Ｐｅｒｓｏｎａｌ Ｃｏｍｐｕｔｅｒ)，タブレットなどのユーザ端末画面１７で表示するものである。操作手段１８は、ユーザ操作を受け付けるものである。ここで、ユーザ操作としては、各設備機器２の運転計画と運転実績との差異を示す履歴一覧表の表示を要求する履歴一覧表示要求や、個々の設備機器２の運転計画、運転実績およびその要因を示す詳細情報の表示を要求する詳細表示要求などがある。本願発明の趣旨にかかるエネルギー管理グラフはエネルギー管理グラフ手段１１により、操作手段１８からの要求により画面１７に表示される。
【００１９】
グラフ定義登録手段１６は本装置で取り扱うグラフを定義登録するソフトウエアであって、操作手段１８および画面１７により実行される。グラフの定義情報はデータベースＤＢに蓄えられる。エネルギー管理グラフ手段１１は、この登録されたデータベースＤＢを参照してグラフの態様を定めて、さらに運転データ記憶手段１３からデータを参照して、グラフの表示をするのである。
【００２０】
一方の、設備機器２の構成を簡単に説明する。設備機器２自体はマイクロプロセッサ（ＭＰＵ）、メモリ、各種入出力装置で実装される。外部または内部にセンサ４を備えて、温度、湿度その他の環境データ、および電力消費量などのエネルギーデータを取得する。センサ４はフィールドバスなどにより入力部２２に複数接続される。入力部２２から取得されたセンサのデータは、通信部２１がデータを設備監視装置１へ通信するためにＭＰＵ部２０で各種工業量などに正規化処理される。そして、設備機器２から、定周期または変化等イベント発生時に設備監視装置１へ、データ送信はＭＰＵ部２０からの指令で通信部２１が行う。
【００２１】
クロック部２３は、内部のＲＴＣ（ＲｅａｌＴｉｍｅＣｌｏｃｋ）から一定のサンプリングタイムを生成する。通常はｍＳｅｃから秒のオーダーである。このサンプリングタイムごとに、設備機器のＭＰＵ部２０が動作する。メモリ部２４には、設備機器の運転に関するデータのほか、センサにかかるポイントごとに複数の属性データが構造的に格納される。
【００２２】
（２）グラフ属性にかかるデータベース配置
図２で設備監視装置１におけるＤＢ１９を説明する。図２の左側にグラフ定義テーブルの配列を示す。右側にはそれぞれのグラフ属性ファイルの内訳を示す。これらはメモリまたは記憶媒体に置くファイル形式である。それはフラットな形式でもよいが、ＸＭＬ（拡張マークアップ言語）であれば尚望ましい。タグ定義テーブルには、グラフＮｏ．１から最大限のｎまでのグラフ属性を備えるか、又はリンクポインタでグラフ属性ファイルを指し示すことでもよい。
【００２３】
さて、グラフ属性ファイルは、図示のとおり、次の属性データから成る。
―グラフ種類
―グラフ名称
―ポイント定義（アイテム１，２、、ｍ）の名称
―表示範囲（時間軸、データ軸）の設定
―表示色（上記アイテムに対応するカラー１，２、、ｍ）の色コード
―グラフ配置（トレンドグラフなら重畳または分離）の形態指定
―線種、欠損表示、その他
【００２４】
これらの属性データのうち、少なくともポイント定義の領域をオプション１属性と呼ぶ。本例ではグラフ名称も含めているが外してもよい。また、表示色属性についてはオプション２属性と呼ぶ。これらは、グラフ定義登録手段１６におけるコピー機能の実行の選択肢となるものである。
【００２５】
（３）  グラフ定義登録手段の処理
次に、図３のフローチャートに基づいて説明する。なお、本願発明にかかる要部のみを記してある。本機能の呼び出しでＳｔａｒｔする。最初のステップ１で、コピー元（第一のグラフ属性ファイル）およびコピー先（第二のグラフ属性ファイル）のグラフを指定する（Ｓ０１）。
【００２６】
コピー機能の選択肢であるオプションが設定されてこれにより分岐する（Ｓ０２）。まず全属性のコピーならオプション０ということであって（Ｓ１０）、下に進む。そして、グラフ属性同士で整合性チェックが行われる（Ｓ１１）。グラフ種類によっては全コピーが相応しくない場合があるからである。ＯＫなら全属性をコピー元からコピー先のグラフ属性ファイルにコピーする（Ｓ１２）。ＮＧなら、最初のステップ（Ｓ０１）へ戻る。
【００２７】
オプション１なら（Ｓ２０）、やはり整合性チェック（Ｓ２１）を経て、少なくともポイント定義など（本例ではグラフ名称も含む）を除いた他すべての属性をコピーする（Ｓ２２）。なお、これに前後して、ポイント定義は別途用意したテキストファイルなどからインポートする（Ｓ２３）ことを行ってもよい。本装置のグラフ定義登録手段１６に依存しないで、テキストエディタなどで別途作成すれば作業効率が良いからである。
【００２８】
オプション２であったなら（Ｓ３０）、やはり整合性チェック（Ｓ３１）を経て、表示色属性のみをコピーする（Ｓ３２）。なお、グラフチャートにかかるペン色は普遍的なものであるゆえ、この場合の整合性チェックは緩いものになろう（Ｓ３１）。また、オプション３以上もフローの右端に追加可能である。
【００２９】
さて、各オプション分岐から降りてきたら、コピーが終了したので、その結果を適宜、できればグラフィックウィンドウで表示するなどしてユーザに視認できるように表示する（Ｓ４０）。以降は最初のステップにループする。
【００３０】
（４）  画面オペレーション例
図４のグラフ定義登録手段の表示操作画面レイアウトに従って説明する。画面２０において、まず、機能区分とそのグループを指定する。機能リスト２１に示すように、本例では機能区分はＡ地域冷暖房、グループは東棟全体と指定する。なお、グループ項にはリストボックス２２が付与されているので、当該クリックによってドロップダウンされた別グループ、過去に指定したものの履歴から、あるいは、お気に入り登録されたグループから所望のグループが指定できる。その指定によってグラフ一覧表３０にグループに属すグラフ名称が表示される。
【００３１】
次に、コピー機能選択肢であるオプションを指定する。画面２０左下にラジオスイッチ２３が設けてあるので、そこでオプション０，１，２を選択する。そのコピー動作については前述のとおりである。
【００３２】
そして、図右側のグラフ一覧表３０から、コピー元である第一のグラフ属性とコピー先である第二のグラフ属性を有するグラフを選ぶ。それは右端のＣｏｐｙ欄において元（Ｆｒｏｍ）と先（Ｔｏ）をマークする。なお、コピー先（Ｔｏ）は複数選べると尚都合がよい。
【００３３】
そして、最後に実行ボタン２４を押せば、グラフ属性ファイルのコピーが行われる。実行結果については、別ウィンドウなどで概略エコーバック表示される。
【実施例】
【００３４】
次に、図５に、トレンドグラフの一表示態様１００を示す。
本態様では、グラフ属性において、グラフ種類はトレンドグラフが規定されている。ポイント定義は２つアイテムが定義されている。グラフ配置は重畳（２本のトレンドが重ね合わせ）で、線種は、アイテム１は線と点で描画Ｆ１され（１０１a）、アイテム２は線のみで描画Ｆ２(１０１ｂ)されている。どちらもデータ欠落は補間される。そうして、表示範囲は図示Ａ１で示す時間軸とデータ軸で行われていることがわかる。
【００３５】
一方、図６には、トレンドグラフの別の表示態様１００を示す。図５のケースとの違いは、グラフ配置は分離（２本のトレンドが上下の表示範囲Ａ１とＡ２に分かれる）で、線種は、アイテム１は線のみでＦ１（１０１a）、アイテム２は線と点でＦ２(１０１ｂ)により描画されている。そうして、表示範囲Ａ１，Ａ２で示す時間軸とデータ軸で独立に行われることがわかる。
【産業上の利用可能性】
【００３６】
以上では、トレンドグラフを主体に述べたが、本願発明は品質管理的なチャート全般でも利用できるので、ビル管理以外の監視装置、例えば研究施設などでも利用可能である。本例に本願発明の技術的範囲を限定解釈しないことが望まれる。
【符号の説明】
【００３７】
１  設備監視装置
２  設備機器
３  通信ネットワーク
４  センサ
２０  グラフ定義登録画面
１００  トレンド画面例
【図１】
2017146756.tif 000003
【図２】
2017146756.tif 000004
【図３】
2017146756.tif 000005
【図４】
2017146756.tif 000006
【図５】
2017146756.tif 000007
【図６】
2017146756.tif 000008